(57)【特許請求の範囲】
【請求項１】
正面視で左側に警告板が設置される路面に対してスライス加工を自動的に行う装置であって、車体を含み、前記車体の左端には第一活動空間が設置され、前記第一活動空間の中には警告装置が設置され、前記第一活動空間の下端には第三活動空間が設置され、前記第一活動空間の底壁には前記第三活動空間と連通する抜き孔が設置され、前記第三活動空間の前壁と後壁が第一回転棒と回転可能に連結され、前記第一回転棒には第一ローラと歯車が固定され、前記第一ローラには鎖が固定され、前記鎖の右端には台形ブロックが固定され、前記第三活動空間の上壁には台形溝が形成され、前記台形ブロックの上端と前記台形溝とがスライド可能に連結され、前記台形ブロックの下端には第三活動板が固定され、前記第三活動板の下方には第二活動溝が形成され、前記第二活動溝の中には前記第三活動板と固定された第二ばねが取り付けられ、前記第三活動板の右端には第四活動板が固定され、前記第四活動板の前後端には固定板がスライド可能に連結され、前記固定板の右端には第二活動空間が設置され、前記第二活動空間の上壁には主モーターが固定され、前記主モーターには主伝動軸が伝動可能に連結され、前記主伝動軸には第一はすば歯車とカムが固定され、前記第一はすば歯車に第二はすば歯車が噛み合い、前記第二はすば歯車には第一伝動軸が固定され、前記第一伝動軸の左端が前記車体に回転可能に連結され、前記第二活動空間の底壁には水槽が設置され、
前記警告装置は前記第一活動空間の底壁に固定的に取り付けられた回転モーターを含み、前記回転モーターにスクリューが伝動可能に連結され、前記スクリューの上端が前記第一活動空間の上壁に回転可能に連結され、前記スクリューには前記第一活動空間とスライド可能に連結される第二活動板がネジ山により連結され、前記第二活動板の上端には前記警告板が固定され、前記警告板の上端が前記第一活動空間の上壁を貫通し、前記第二活動板の下端にはラックが固定され、前記ラックが前記抜き孔を貫通して前記歯車と噛み合っており、
前記固定板の内側には空き空間が設置され、前記第一伝動軸が前記空き空間を貫通し、前記空き空間の前壁と後壁が前後に伸びられるウォームと回転可能に連結され、前記ウォームの中間にウォームホイールが噛み合い、前記ウォームの前後端において前記固定板から伸び出した部分には第一プーリが固定され、前記ウォームホイールには前記第一伝動軸が固定され、前記固定板の下端には第一スライド溝が形成され、前記第一スライド溝の左右端壁には第二活動溝が形成され、前記固定板の前後端壁には位置制限ブロックが固定され、
前記第四活動板と前記固定板とが前記第一スライド溝によりスライド可能に連結され、前記第四活動板の前後端には第二活動棒が固定され、前記第二活動棒が前記第二活動溝にスライド可能に連結され、前記第四活動板の下端には第二空き空間が設置され、前記第二空き空間の上壁には金網が固定され、前記第二空き空間の前壁と後壁には第三伝動軸が回転可能に連結され、前記第三伝動軸が前記第二空き空間の前壁と後壁を貫通し、前記第三伝動軸には第二プーリが固定され、前記第二プーリが搬送ベルトにより前記第一プーリと連結され、前記第二空き空間において前記第三伝動軸にはロールが固定され、
前記第四活動板の前壁の外側と後壁の外側には第三連結棒が固定され、前記第三連結棒に第二連結棒が回転可能に連結され、前記第二連結棒に第一連結棒が回転可能に連結され、前記第一連結棒には第二ローラが回転可能に連結され、前記第二ローラと前記搬送ベルトとがスライド可能に連結され、
前記水槽の下端には水出管が固定され、前記水出管の下端が前記ロールに向き、前記水出管の上端には水出弁が設置され、前記水出弁の上端には第二鎖が固定され、前記水槽の上方には第三ローラが回転可能に取り付けられ、前記第二鎖が前記水槽の上壁を貫通して前記第三ローラに巻きつけられ、また前記第二鎖には活動棒が固定され、前記活動棒の上端が前記カムと接触し、前記活動棒の右端には活動押し棒が固定され、前記活動空間の右端壁には前記活動押し棒とスライド可能に連結された第三活動溝が形成され、前記第三活動溝の右端壁には前記活動押し棒と固定された第三ばねが固定的に取り付けられ、
前記歯車の右端には副ラックが噛み合い、前記第三活動空間の上壁にはスライド空間が設置され、前記第三活動空間の底壁には液圧空間が設置され、前記第三活動空間の前壁と後壁が第二回転棒と回転可能に連結され、前記第二回転棒には第三回転棒が固定され、前記第三回転棒の左端には第一位置制限溝が形成され、前記第三回転棒の右端には第二位置制限溝が形成され、前記副ラックと前記スライド空間とがスライド可能に連結され、前記副ラックの下端には第一位置制限棒が固定され、前記第一位置制限棒と前記第一位置制限溝とがスライド可能に連結され、前記液圧空間の左端には第二ピストン板が設置され、前記第二ピストン板の上端には第二押し棒が固定され、前記第二押し棒の上端が前記液圧空間の上壁を貫通し、前記第二押し棒の上端には第二位置制限棒が固定され、前記第二位置制限棒と前記第二位置制限溝とがスライド可能に連結され、前記液圧空間の右端には第一ピストン板が設置され、前記第一ピストン板の上端には前記第一押し棒が固定され、前記第一押し棒の上端が前記液圧空間の上壁を貫通し、また前記第一押し棒の上端には前記第三活動板が固定され、
作動し始める時、前記回転モーターが作動し、前記スクリューが回転し、前記第二活動板が前記スクリューの作用で上方への運動を行い、前記警告板が伸びて前記車体を出、前記ラックが前記第二活動板の作用で上方への運動を行い、前記ラックが前記歯車を回転連動させ、前記歯車が前記副ラックを下方に移動連動させ、前記副ラックが前記第一位置制限棒により前記第三回転棒を回転連動させ、前記第三回転棒が前記第二押し棒を上方に移動連動させ、前記第一押し棒が下方に移動し、前記歯車が前記第一回転棒により前記第一ローラを回転連動させ、前記第一ローラが回転して前記鎖を収縮するように駆動し、前記鎖が前記活動ブロックに左方への平行移動を行わせ、前記第三活動板が前記活動ブロック及び前記第一押し棒の共同作用で下方への平行移動を行い、前記第三活動板が前記第四活動板を下方に運動するように駆動し、前記第四活動板が前記第三伝動軸を下方に運動するように駆動し、前記第二プーリが下方への運動を行うことにより前記搬送ベルトが収縮され、前記第四活動板が第三連結棒に下方への運動を行わせ、前記第三連結棒が前記第二連結棒を回転連動させ、前記搬送ベルト及び前記第二連結棒の共同作用で前記第二ローラが回転し、
前記主モーターが作動して前記主伝動軸を回転連動させ、前記主伝動軸が前記カム及び前記第一はすば歯車を回転連動させ、前記カムが回転し、前記活動棒が右方に移動し、前記活動棒が前記第二鎖と前記活動押し棒を移動連動させ、前記第二鎖に連動して前記水出弁が開けられ、水が前記水出管を介して前記ロールの上方に流れ、前記活動押し棒が前記第三ばねの作用で左方に移動し、前記活動棒が水平方向で往復運動を行い、前記第一はすば歯車が前記第二はすば歯車を回転連動させ、前記第二はすば歯車が前記第一伝動軸を回転連動させ、前記第一伝動軸が前記ウォームホイールを回転連動させ、前記ウォームホイールが前記ウォームにより前記第一プーリを回転連動させ、前記第一プーリが前記搬送ベルトにより前記第二プーリを回転連動させ、前記第二プーリは、前記第三伝動軸が前記ロールを回転連動させることにより地面にスライス加工を行い、
作動を終えた後、前記回転モーターが逆転し、前記スクリューが逆転し、前記第二活動板が前記警告板を下方に移動連動させて前記第一活動空間の中に戻らせ、前記ラックが前記第二活動板の作用で下方に移動し、前記ラックが前記歯車を逆転させ、前記第一ローラが逆転し、前記鎖が緩くなり、前記歯車が前記副ラックを上方に移動連動させ、前記副ラックが前記第一位置制限棒を上方に移動連動させ、前記第三回転棒が回転して前記第二位置制限棒を回転連動させ、前記第二位置制限棒が前記第二押し棒により前記第二ピストン板を下方に移動連動させ、前記第一ピストン板が上方に移動し、前記第一押し棒が上方に移動し、前記第一押し棒及び前記第二ばねの共同作用で前記第三活動板が上方に移動し、前記ロールが上方に移動することを特徴とする路面に対してスライス加工を自動的に行う装置。
【発明の詳細な説明】
【技術分野】
【０００１】
本願発明は道路維持技術分野に関わり、具体的には路面に対してスライス加工を自動的に行う装置である。
【背景技術】
【０００２】
路面は様々な圧力を受けることで破壊され、そのため、路面に対する維持作業が重視されなければならない。破壊されるのは路面全体ではなく、一部だけであり、従い、作業員は道路の一部に対してスライス加工を行って砂や土を敷いて平らにすればよく、スライス加工を行う過程に、粉塵が上がる問題は引き起こされ、それと同時に、破壊された程度が異なる路面に、スライス加工の加工程度も異なる。
【先行技術文献】
【特許文献】
【０００３】
【特許文献１】中国特許出願公開第１０３９９３５５２号明細書
【発明の概要】
【発明が解決しようとする課題】
【０００４】
上記の技術不足に対して、本願発明は路面に対してスライス加工を自動的に行う装置を開示する。
【課題を解決するための手段】
【０００５】
本願発明に記載の路面に対してスライス加工を自動的に行う装置は、車体を含み、前記車体の左端には第一活動空間が設置され、前記第一活動空間の中には警告装置が設置され、前記第一活動空間の下端には第三活動空間が設置され、前記第一活動空間の底壁には前記第三活動空間と連通する抜き孔が設置され、前記第三活動空間の前壁と後壁が第一回転棒と回転可能に連結され、前記第一回転棒には第一ローラと歯車が固定され、前記第一ローラには鎖が固定され、前記鎖の右端には台形ブロックが固定され、前記第三活動空間の上壁には台形溝が形成され、前記台形ブロックの上端と前記台形溝とがスライド可能に連結され、前記台形ブロックの下端には第三活動板が固定され、前記第三活動板の下方には第二活動溝が形成され、前記第二活動溝の中には前記第三活動板と固定された第二ばねが取り付けられ、前記第三活動板の右端には第四活動板が固定され、前記第四活動板の前後端には固定板がスライド可能に連結され、前記固定板の右端には第二活動空間が設置され、前記第二活動空間の上壁には主モーターが固定され、前記主モーターには主伝動軸が伝動可能に連結され、前記主伝動軸には第一はすば歯車とカムが固定され、前記第一はすば歯車に第二はすば歯車が噛み合い、前記第二はすば歯車には第一伝動軸が固定され、前記第一伝動軸の左端が前記車体に回転可能に連結され、前記第二活動空間の底壁には水槽が設置されている。
【０００６】
前記警告装置は前記第一活動空間の底壁に固定的に取り付けられた回転モーターを含み、前記回転モーターにスクリューが伝動可能に連結され、前記スクリューの上端が前記第一活動空間の上壁に回転可能に連結され、前記スクリューには前記第一活動空間とスライド可能に連結される第二活動板がネジ山により連結され、前記第二活動板の上端には警告板が固定され、前記警告板の上端が前記第一活動空間の上壁を貫通し、前記第二活動板の下端にはラックが固定され、前記ラックが前記抜き孔を貫通して前記歯車と噛み合っている。
【０００７】
前記固定板の内側には空き空間が設置され、前記第一伝動軸が前記空き空間を貫通し、前記空き空間の前壁と後壁が前後に伸びられるウォームと回転可能に連結され、前記ウォームの中間にウォームホイールが噛み合い、前記ウォームの前後端において前記固定板から伸び出した部分には第一プーリが固定され、前記ウォームホイールには前記第一伝動軸が固定され、前記固定板の下端には第一スライド溝が形成され、前記第一スライド溝の左右端壁には第二活動溝が形成され、前記固定板の前後端壁には位置制限ブロックが固定されている。
【０００８】
前記第四活動板と前記固定板とが前記第一スライド溝によりスライド可能に連結され、前記第四活動板の前後端には第二活動棒が固定され、前記第二活動棒が前記第二活動溝にスライド可能に連結され、前記第四活動板の下端には第二空き空間が設置され、前記第二空き空間の上壁には金網が固定され、前記第二空き空間の前壁と後壁には第三伝動軸が回転可能に連結され、前記第三伝動軸が前記第二空き空間の前壁と後壁を貫通し、前記第三伝動軸には第二プーリが固定され、前記第二プーリが搬送ベルトにより前記第一プーリと連結され、前記第二空き空間において前記第三伝動軸にはロールが固定されている。
【０００９】
前記第四活動板の前壁の外側と後壁の外側には第三連結棒が固定され、前記第三連結棒に第二連結棒が回転可能に連結され、前記第二連結棒に第一連結棒が回転可能に連結され、前記第一連結棒には第二ローラが回転可能に連結され、前記第二ローラと前記搬送ベルトとがスライド可能に連結されている。
【００１０】
前記水槽の下端には水出管が固定され、前記水出管の下端が前記ロールに向き、前記水出管の上端には水出弁が設置され、前記水出弁の上端には第二鎖が固定され、前記水槽の上方には第三ローラが回転可能に取り付けられ、前記第二鎖が前記水槽の上壁を貫通して前記第三ローラに巻きつけられ、また前記第二鎖には活動棒が固定され、前記活動棒の上端が前記カムと接触し、前記活動棒の右端には活動押し棒が固定され、前記活動空間の右端壁には前記活動押し棒とスライド可能に連結された第三活動溝が形成され、前記第三活動溝の右端壁には前記活動押し棒と固定された第三ばねが固定的に取り付けられている。
【００１１】
前記歯車の右端には副ラックが噛み合い、前記第三活動空間の上壁にはスライド空間が設置され、前記第三活動空間の底壁には液圧空間が設置され、前記第三活動空間の前壁と後壁が第二回転棒と回転可能に連結され、前記第二回転棒には第三回転棒が固定され、前記第三回転棒の左端には第一位置制限溝が形成され、前記第三回転棒の右端には第二位置制限溝が形成され、前記副ラックと前記スライド空間とがスライド可能に連結され、前記副ラックの下端には第一位置制限棒が固定され、前記第一位置制限棒と前記第一位置制限溝とがスライド可能に連結され、前記液圧空間の左端には第二ピストン板が設置され、前記第二ピストン板の上端には第二押し棒が固定され、前記第二押し棒の上端が前記液圧空間の上壁を貫通し、前記第二押し棒の上端には第二位置制限棒が固定され、前記第二位置制限棒と前記第二位置制限溝とがスライド可能に連結され、前記液圧空間の右端には第一ピストン板が設置され、前記第一ピストン板の上端には前記第一押し棒が固定され、前記第一押し棒の上端が前記液圧空間の上壁を貫通し、また前記第一押し棒の上端には前記第三活動板が固定されている。
【発明の効果】
【００１２】
本願発明は構成が簡単で、操作が便利であり、作動し始めると、警告板により周りの人に道路補修のことを通知し、ニーズに応じて路面に対するスライス加工の程度を制御でき、スライス加工を行う過程に、水の流れにロールを洗浄し、それと同時に、ロールを冷却する作用と埃が舞い上がるのを抑える作用を果たせ、環境に優しい機能があり、作動過程に、金網によりロールの上側の刃に引っ掛けられた石を除去することで、作業を安定して進められ、第二ローラの作用で、搬送ベルトはずっと引っ張られた状態にあり、作業を正常に進められる。
【図面の簡単な説明】
【００１３】
下記に図１〜３をあわせて本発明について詳しく説明し、便利に説明するために、下記の方向を以下のように規定する：図１は本発明装置の正面図であり、本願に記載の各方向が、図１と同じ向きに装置を見た際の方向である。
【００１４】
【図１】図１は本願発明の構成概略図
【図２】図２は図１における「Ａ」部の左面図
【図３】図３は図１における第三回転棒の拡大構成概略図
【発明を実施するための形態】
【００１５】
本願発明に記載の路面に対してスライス加工を自動的に行う装置は、車体２を含み、前記車体２の左端には第一活動空間５４が設置され、前記第一活動空間５４の中には警告装置が設置され、前記第一活動空間５４の下端には第三活動空間５６が設置され、前記第一活動空間５４の底壁には前記第三活動空間５６と連通する抜き孔９が設置され、前記第三活動空間５６の前壁と後壁が第一回転棒１１と回転可能に連結され、前記第一回転棒１１には第一ローラ１２と歯車２５が固定され、前記第一ローラ１２には鎖３０が固定され、前記鎖３０の右端には台形ブロック１４が固定され、前記第三活動空間５６の上壁には台形溝１３が形成され、前記台形ブロック１４の上端と前記台形溝１３とがスライド可能に連結され、前記台形ブロック１４の下端には第三活動板１５が固定され、前記第三活動板１５の下方には第二活動溝１６が形成され、前記第二活動溝１６の中には前記第三活動板１５と固定された第二ばね１７が取り付けられ、前記第三活動板１５の右端には第四活動板４３が固定され、前記第四活動板４３の前後端には固定板５０がスライド可能に連結され、前記固定板５０の右端には第二活動空間５５が設置され、前記第二活動空間５５の上壁には主モーター２２が固定され、前記主モーター２２には主伝動軸２３が伝動可能に連結され、前記主伝動軸２３には第一はすば歯車２１とカム２４が固定され、前記第一はすば歯車２１に第二はすば歯車２０が噛み合い、前記第二はすば歯車２０には第一伝動軸１９が固定され、前記第一伝動軸１９の左端が前記車体２に回転可能に連結され、前記第二活動空間５５の底壁には水槽２９が設置されている。
【００１６】
有益なように、前記警告装置は前記第一活動空間５４の底壁に固定的に取り付けられた回転モーター８を含み、前記回転モーター８にスクリュー７が伝動可能に連結され、前記スクリュー７の上端が前記第一活動空間５４の上壁に回転可能に連結され、前記スクリュー７には前記第一活動空間５４とスライド可能に連結される第二活動板６がネジ山により連結され、前記第二活動板６の上端には警告板１が固定され、前記警告板１の上端が前記第一活動空間５４の上壁を貫通し、前記第二活動板６の下端にはラック１０が固定され、前記ラック１０が前記抜き孔９を貫通して前記歯車２５と噛み合っている。
【００１７】
有益なように、前記固定板５０の内側には空き空間３１が設置され、前記第一伝動軸１９が前記空き空間３１を貫通し、前記空き空間３１の前壁と後壁が前後に伸びられるウォーム３３と回転可能に連結され、前記ウォーム３３の中間にウォームホイール３２が噛み合い、前記ウォーム３３の前後端において前記固定板５０から伸び出した部分には第一プーリ３４が固定され、前記ウォームホイール３２には前記第一伝動軸１９が固定され、前記固定板５０の下端には第一スライド溝４が形成され、前記第一スライド溝４の左右端壁には第二活動溝４２が形成され、前記固定板５０の前後端壁には位置制限ブロック３８が固定されている。
【００１８】
有益なように、前記第四活動板４３と前記固定板５０とが前記第一スライド溝４によりスライド可能に連結され、前記第四活動板４３の前後端には第二活動棒４０が固定され、前記第二活動棒４０が前記第二活動溝４２にスライド可能に連結され、前記第四活動板４３の下端には第二空き空間４９が設置され、前記第二空き空間４９の上壁には金網４４が固定され、前記第二空き空間４９の前壁と後壁には第三伝動軸４６が回転可能に連結され、前記第三伝動軸４６が前記第二空き空間４９の前壁と後壁を貫通し、前記第三伝動軸４６には第二プーリ４７が固定され、前記第二プーリ４７が搬送ベルト３５により前記第一プーリ３４と連結され、前記第二空き空間４９において前記第三伝動軸４６にはロール４５が固定されている。
【００１９】
有益なように、前記第四活動板４３の前壁の外側と後壁の外側には第三連結棒４１が固定され、前記第三連結棒４１に第二連結棒３９が回転可能に連結され、前記第二連結棒３９に第一連結棒３７が回転可能に連結され、前記第一連結棒３７には第二ローラ３６が回転可能に連結され、前記第二ローラ３６と前記搬送ベルト３５とがスライド可能に連結されている。
【００２０】
有益なように、前記水槽２９の下端には水出管１８が固定され、前記水出管１８の下端が前記ロール４５に向き、前記水出管１８の上端には水出弁５１が設置され、前記水出弁５１の上端には第二鎖５３が固定され、前記水槽２９の上方には第三ローラ５２が回転可能に取り付けられ、前記第二鎖５３が前記水槽２９の上壁を貫通して前記第三ローラ５２に巻きつけられ、また前記第二鎖５３には活動棒２６が固定され、前記活動棒２６の上端が前記カム２４と接触し、前記活動棒２６の右端には活動押し棒４８が固定され、前記活動空間５５の右端壁には前記活動押し棒４８とスライド可能に連結された第三活動溝２８が形成され、前記第三活動溝２８の右端壁には前記活動押し棒４８と固定された第三ばね２７が固定的に取り付けられている。
【００２１】
有益なように、前記歯車２５の右端には副ラック６１が噛み合い、前記第三活動空間５６の上壁にはスライド空間６２が設置され、前記第三活動空間５６の底壁には液圧空間６５が設置され、前記第三活動空間５６の前壁と後壁が第二回転棒７０と回転可能に連結され、前記第二回転棒７０には第三回転棒７３が固定され、前記第三回転棒７３の左端には第一位置制限溝７１が形成され、前記第三回転棒７３の右端には第二位置制限溝６９が形成され、前記副ラック６１と前記スライド空間６２とがスライド可能に連結され、前記副ラック６１の下端には第一位置制限棒７２が固定され、前記第一位置制限棒７２と前記第一位置制限溝７１とがスライド可能に連結され、前記液圧空間６５の左端には第二ピストン板６６が設置され、前記第二ピストン板６６の上端には第二押し棒６７が固定され、前記第二押し棒６７の上端が前記液圧空間６５の上壁を貫通し、前記第二押し棒６７の上端には第二位置制限棒６８が固定され、前記第二位置制限棒６８と前記第二位置制限溝６９とがスライド可能に連結され、前記液圧空間６５の右端には第一ピストン板６４が設置され、前記第一ピストン板６４の上端には前記第一押し棒６３が固定され、前記第一押し棒６３の上端が前記液圧空間６５の上壁を貫通し、また前記第一押し棒６３の上端には前記第三活動板１５が固定されている。
【００２２】
初期状態において、前記警告板１が前記第一活動空間５４の中に位置しており、作動し始める時、前記回転モーター８が作動し、前記スクリュー７が回転し、前記第二活動板６が前記スクリュー７の作用で上方への運動を行い、前記警告板１が伸びて前記車体１を出、前記ラック１０が前記第二活動板６の作用で上方への運動を行い、前記ラック１０が前記歯車２５を回転連動させ、前記歯車２５が前記副ラック６１を下方に移動連動させ、前記副ラック６１が前記第一位置制限棒７２により前記第三回転棒７３を回転連動させ、前記第三回転棒７３が前記第二押し棒６７を上方に移動連動させ、前記第一押し棒６３が下方に移動し、前記歯車２５が前記第一回転棒１１により前記第一ローラ１２を回転連動させ、前記第一ローラ１２が回転して前記鎖３０を収縮するように駆動し、前記鎖３０が前記活動ブロック１４に左方への平行移動を行わせ、前記第三活動板１５が前記活動ブロック１４及び前記第一押し棒６３の共同作用で下方への平行移動を行い、前記第三活動板１５が前記第四活動板４３を下方に運動するように駆動し、前記第四活動板４３が前記第三伝動軸４６を下方に運動するように駆動し、前記第二プーリ４７が下方への運動を行うことにより前記搬送ベルト３５が収縮され、前記第四活動板４３が第三連結棒４１に下方への運動を行わせ、前記第三連結棒４１が前記第二連結棒４０を回転連動させ、前記搬送ベルト３５及び前記第二連結棒４０の共同作用で前記第二ローラ３６が回転する。
【００２３】
前記主モーター２２が作動して前記主伝動軸２３を回転連動させ、前記主伝動軸２３が前記カム２４及び前記第一はすば歯車２１を回転連動させ、前記カム２４が回転し、前記活動棒２６が右方に移動し、前記活動棒２６が前記第二鎖５３と前記活動押し棒４８を移動連動させ、前記第二鎖５３に連動して前記水出弁５１が開けられ、水が前記水出管１８を介して前記ロール４８の上方に流れ、前記活動押し棒４８が前記第三ばね２８の作用で左方に移動し、前記活動棒２６が水平方向で往復運動を行い、前記第一はすば歯車２１が前記第二はすば歯車２０を回転連動させ、前記第二はすば歯車２０が前記第一伝動軸１９を回転連動させ、前記第一伝動軸１９が前記ウォームホイール３２を回転連動させ、前記ウォームホイール３２が前記ウォーム３３により前記第一プーリ３４を回転連動させ、前記第一プーリ３４が前記搬送ベルト３５により前記第二プーリ４７を回転連動させ、前記第二プーリ４７は、前記第三伝動軸４６が前記ロール４５を回転連動させることにより地面にスライス加工を行う。
【００２４】
作動を終えた後、前記回転モーター８が逆転し、前記スクリュー７が逆転し、前記第二活動板６が前記警告板１を下方に移動連動させて前記第一活動空間５４の中に戻らせ、前記ラック１０が前記第二活動板６の作用で下方に移動し、前記ラック１０が前記歯車２５を逆転させ、前記第一ローラ１２が逆転し、前記鎖３０が緩くなり、前記歯車２５が前記副ラック６１を上方に移動連動させ、前記副ラック６１が前記第一位置制限棒７２を上方に移動連動させ、前記第三回転棒７３が回転して前記第二位置制限棒６８を回転連動させ、前記第二位置制限棒６８が前記第二押し棒６７により前記第二ピストン板６６を下方に移動連動させ、前記第一ピストン板６４が上方に移動し、前記第一押し棒６３が上方に移動し、前記第一押し棒６３及び前記第二ばね１７の共同作用で前記第三活動板１５が上方に移動し、前記ロール４５が上方に移動する。
【００２５】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明は路面に対してスライス加工を自動的に行う装置を開示した。
【解決手段】
車体を含み、前記車体の左端には第一活動空間が設置され、前記第一活動空間の中には警告装置が設置され、前記第一活動空間の下端には第三活動空間が設置され、本願発明は作動し始めると、警告板により周りの人に道路補修のことを通知し、ニーズに応じて路面に対するスライス加工の程度を制御でき、スライス加工を行う過程に、水の流れにロールを洗浄し、それと同時に、ロールを冷却する作用と埃が舞い上がるのを抑える作用を果たせ、環境に優しい機能があり、作動過程に、金網によりロールの上側の刃に引っ掛けられた石を除去することで、作業を安定して進められ、第二ローラの作用で、搬送ベルトはずっと引っ張られた状態にあり、作業を正常に進められる。
【選択図】図１【図１】
0006826263.tif 000002
【図２】
0006826263.tif 000003
【図３】
0006826263.tif 000004